(57)【要約】【課題】簡易な操作により入力された文字を所望のアプリケーションに利用することが可能な電子機器及びその制御方法を提供すること。【解決手段】画面Ｄ５において、制御部１７は、再度左方向に向かって振る操作がモーションセンサ１８により検出されると、メモ帳アプリケーションの画面に代えて複数のアプリケーションのうち、メモ帳アプリケーションとは異なるブラウザアプリケーションに対応するブラウザアプリケーションの画面を表示させる。画面Ｄ６において、制御部１７は、検出部１２によりユーザの指を表示部１１の表面から離す操作が検出された場合に、表示部１１に表示されている入力文字「防水ケータイ」を、ブラウザアプリケーションの画面内の検索窓に入力させて、ブラウザアプリケーションを起動させる（画面Ｄ７）。【選択図】図３
2012038271.tif 000002
【特許請求の範囲】
【請求項１】
文字入力可能な複数の機能それぞれに対応する画像を表示する表示部と、
前記複数の機能のうち第１の機能に対応する第１の画像が表示又は選択された状態で第１の操作が検出されると、前記第１の画像に代えて前記複数の機能のうち前記第１の機能とは異なる第２の機能に対応する第２の画像を表示又は選択させる制御部と、を備え、
前記制御部は、前記第２の画像が表示又は選択された状態において、前記第１の操作とは異なる第２の操作が検出される、又は操作が検出されない状態が所定時間以上継続した場合に、入力文字を入力させた状態で前記第２の機能を起動させる電子機器。
【請求項２】
操作部をさらに備え、
前記入力文字は、前記第１の画像が表示又は選択される直前に前記表示部に表示された文字である請求項１に記載の電子機器。
【請求項３】
前記制御部は、
前記第１の画像として前記第１の機能の起動に対応する第１の画面が前記表示部に表示された状態で前記第１の操作が検出されると、前記第２の画像として前記第２の機能の起動に対応する第２の画面を前記表示部に表示させ、
前記第２の画面が表示された状態において、前記第２の操作が検出される、又は操作が検出されない状態が前記所定時間以上継続した場合に、前記入力文字を入力させた状態で前記第２の機能を起動させる請求項１又は２に記載の電子機器。
【請求項４】
前記制御部は、
前記第１の画像として前記第１の機能を起動させるための第１のアイコンが選択された状態で前記第１の操作が検出されると、前記第２の画像として前記第２の機能を起動させるための第２のアイコンを選択させ、
前記第２のアイコンが選択された状態において、前記第２の操作が検出される、又は操作が検出されない状態が前記所定時間以上継続した場合に、前記入力文字を入力させた状態で前記第２の機能を起動させる請求項１又は２に記載の電子機器。
【請求項５】
前記制御部は、
前記第２の画像が表示又は選択された状態において、前記第２の操作が検出される、又は操作が検出されない状態が前記所定時間以上継続した場合にのみ、前記第２の機能を起動させる請求項１から４のいずれか一項に記載の電子機器。
【請求項６】
前記第１の操作は、電子機器本体を所定方向に向かって振る操作であり、
前記制御部は、前記電子機器本体が振られた方向に応じて、前記第１の画像及び前記第２の画像を前記表示部に表示させる順序を変更させる請求項１から５のいずれか一項に記載の電子機器。
【請求項７】
前記第１の操作は、前記表示部を摺動する操作であり、
前記制御部は、前記表示部が摺動された方向に応じて、前記第１の画像及び前記第２の画像を前記表示部に表示させる順序を変更させる請求項１から５のいずれか一項に記載の電子機器。
【請求項８】
前記操作部は、一のキーに対して文字及び数字が割り当てられている複数の操作キーを備え、
前記制御部は、前記表示部に待ち受け画面が表示された状態において、前記複数の操作キーのうちいずれかの操作キーが操作されると、当該操作キーに割り当てられる前記文字及び前記数字をそれぞれ入力して前記表示部に表示させ、表示させた前記文字又は前記数字のいずれを前記入力文字として入力させるかに応じて、前記第１の画像及び前記第２の画像を前記表示部に表示させる順序を変更させる請求項１から５のいずれか一項に記載の電子機器。
【請求項９】
複数の機能のうち第１の機能に対応する第１の画像を表示又は選択させるステップと、
第１の操作が検出されると、前記第１の画像に代えて前記複数の機能のうち前記第１の機能とは異なる第２の機能に対応する第２の画像を表示又は選択させるステップと、
前記第２の画像が表示又は選択された状態において、前記第１の操作とは異なる第２の操作が検出される、又は操作が検出されない状態が所定時間以上継続した場合に、入力文字を入力させた状態で前記第２の機能を起動させるステップとを備える電子機器の制御方法。
【発明の詳細な説明】
【技術分野】
【０００１】
本発明は、表示部への接触を検出可能な電子機器及びその制御方法に関する。
【背景技術】
【０００２】
従来、表示部と操作部とを有する電子機器は、表示部に待ち受け画面が表示されている状態で操作部を操作すると、操作部に割り当てられている文字を入力して、表示部に表示する。そして、電子機器は、入力された文字が表示部に表示された状態で複数のアプリケーションのメニューの中から所望のアプリケーションを選択することにより、表示された文字を入力した状態で選択したアプリケーションを起動させていた（例えば、特許文献１参照）。
【先行技術文献】
【特許文献】
【０００３】
【特許文献１】特開２００７−２００２４３号公報
【発明の概要】
【発明が解決しようとする課題】
【０００４】
しかし、特許文献１に記載の電子機器では、所望のアプリケーションを起動させる場合に、ユーザが複数のアプリケーションのメニューの中から一のアプリケーションを選択する必要があり、複数の操作が必要であった。
【０００５】
本発明は、簡易な操作により入力された文字を所望のアプリケーションに利用することが可能な電子機器及びその制御方法を提供することを目的とする。
【課題を解決するための手段】
【０００６】
本発明に係る電子機器は、上記課題を解決するために、文字入力可能な複数の機能それぞれに対応する画像を表示する表示部と、前記複数の機能のうち第１の機能に対応する第１の画像が表示又は選択された状態で第１の操作が検出されると、前記第１の画像に代えて前記複数の機能のうち前記第１の機能とは異なる第２の機能に対応する第２の画像を表示又は選択させる制御部と、を備え、前記制御部は、前記第２の画像が表示又は選択された状態において、前記第１の操作とは異なる第２の操作が検出される、又は操作が検出されない状態が所定時間以上継続した場合に、入力文字を入力させた状態で前記第２の機能を起動させる。
【０００７】
また、前記電子機器は、操作部をさらに備え、前記入力文字は、前記第１の画像が表示又は選択される直前に前記表示部に表示された文字であることが好ましい。
【０００８】
また、前記制御部は、前記第１の画像として前記第１の機能の起動に対応する第１の画面が前記表示部に表示された状態で前記第１の操作が検出されると、前記第２の画像として前記第２の機能の起動に対応する第２の画面を前記表示部に表示させ、前記第２の画面が表示された状態において、前記第２の操作が検出される、又は操作が検出されない状態が前記所定時間以上継続した場合に、前記入力文字を入力させた状態で前記第２の機能を起動させることが好ましい。
【０００９】
また、前記制御部は、前記第１の画像として前記第１の機能を起動させるための第１のアイコンが選択された状態で前記第１の操作が検出されると、前記第２の画像として前記第２の機能を起動させるための第２のアイコンを選択させ、前記第２のアイコンが選択された状態において、前記第２の操作が検出される、又は操作が検出されない状態が前記所定時間以上継続した場合に、前記入力文字を入力させた状態で前記第２の機能を起動させることが好ましい。
【００１０】
また、前記制御部は、前記第２の画像が表示又は選択された状態において、前記第２の操作が検出される、又は操作が検出されない状態が前記所定時間以上継続した場合にのみ、前記第２の機能を起動させることが好ましい。
【００１１】
また、前記第１の操作は、電子機器本体を所定方向に向かって振る操作であり、前記制御部は、前記電子機器本体が振られた方向に応じて、前記第１の画像及び前記第２の画像を前記表示部に表示させる順序を変更させることが好ましい。
【００１２】
また、前記第１の操作は、前記表示部を摺動する操作であり、前記制御部は、前記表示部が摺動された方向に応じて、前記第１の画像及び前記第２の画像を前記表示部に表示させる順序を変更させることが好ましい。
【００１３】
また、前記操作部は、一のキーに対して文字及び数字が割り当てられている複数の操作キーを備え、前記制御部は、前記表示部に待ち受け画面が表示された状態において、前記複数の操作キーのうちいずれかの操作キーが操作されると、当該操作キーに割り当てられる前記文字及び前記数字をそれぞれ入力して前記表示部に表示させ、表示させた前記文字又は前記数字のいずれを前記入力文字として入力させるかに応じて、前記第１の画像及び前記第２の画像を前記表示部に表示させる順序を変更させることが好ましい。
【００１４】
本発明に係る電子機器の制御方法は、上記課題を解決するために、複数の機能のうち第１の機能に対応する第１の画像を表示又は選択させるステップと、第１の操作が検出されると、前記第１の画像に代えて前記複数の機能のうち前記第１の機能とは異なる第２の機能に対応する第２の画像を表示又は選択させるステップと、前記第２の画像が表示又は選択された状態において、前記第１の操作とは異なる第２の操作が検出される、又は操作が検出されない状態が所定時間以上継続した場合に、入力文字を入力させた状態で前記第２の機能を起動させるステップとを備える。
【発明の効果】
【００１５】
本発明によれば、簡易な操作により入力された文字を所望のアプリケーションに利用することが可能な電子機器及びその制御方法を提供することができる。
【図面の簡単な説明】
【００１６】
【図１】第１実施形態に係る携帯電話機の外観斜視図である。
【図２】第１実施形態に係る携帯電話機の機能構成を示すブロック図である。
【図３】第１実施形態に係る表示部に表示される画面遷移例を示す図である。
【図４】図３に示す例の内部処理について示すフローチャート（１）である。
【図５】図３に示す例の内部処理について示すフローチャート（２）である。
【図６】第２実施形態に係る表示部に表示される画面遷移例を示す図である。
【図７】図６に示す例の内部処理について示すフローチャート（１）である。
【図８】図６に示す例の内部処理について示すフローチャート（２）である。
【図９】第３実施形態に係る表示部に表示される画面遷移例を示す図である。
【図１０】図９に示す例の内部処理について示すフローチャートである。
【発明を実施するための形態】
【００１７】
＜第１実施形態＞
以下、本発明の実施の形態について説明する。まず、本発明の電子機器の第１実施形態に係る携帯電話機１の基本構造について、図１を参照しながら説明する。図１は、第１実施形態に係る携帯電話機１の外観斜視図である。
【００１８】
携帯電話機１は、筺体２を備える。筺体２には、正面部に、タッチパネル１０（操作部）と、マイク１３と、スピーカ１４とが配置される。
【００１９】
タッチパネル１０は、表示部１１と、検出部１２とを備える（図２参照）。表示部１１は、液晶表示パネル又は有機ＥＬ（エレクトロルミネッセンス）表示パネル等である。検出部１２は、表示部１１に対する携帯電話機１のユーザの指やタッチペン等の物体の接触を検出するセンサである。検出部１２には、表示部１１の表面に対応して配され、例えば、静電容量方式や抵抗膜方式等のセンサが利用可能である。
【００２０】
マイク１３は、携帯電話機１のユーザが通話時に発した音声を入力するために用いられる。
スピーカ１４は、携帯電話機１のユーザの通話相手が発した音声を出力するために用いられる。
【００２１】
続いて、図２を参照しながら、携帯電話機１の機能構成について説明する。図２は、第１実施形態に係る携帯電話機１の機能構成を示すブロック図である。
【００２２】
携帯電話機１は、上述した、タッチパネル１０（表示部１１及び検出部１２）と、マイク１３と、スピーカ１４とを備える。また、携帯電話機１は、通信部１５と、記憶部１６と、制御部１７と、モーションセンサ１８と、操作部１９と、を備える。
【００２３】
通信部１５は、メインアンテナ（図示省略）とＲＦ回路部（図示省略）とを備え、所定の連絡先に発信したり、通信したりする。通信部１５が発信する連絡先は、例えば、警察や消防といった緊急連絡先である。また、通信部１５が通信を行う通信先は、携帯電話機１と電話やメールの送受信を行う外部装置や、携帯電話機１がインターネットの接続を行う外部のｗｅｂサーバ等の外部装置等である。
【００２４】
通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００２５】
記憶部１６は、例えば、ワーキングメモリを含み、制御部１７による演算処理に利用される。また、記憶部１６は、携帯電話機１の内部で動作するアプリケーションやデータベースを１又は複数記憶する。なお、記憶部１６は、着脱可能な外部メモリを兼ねていてもよい。
【００２６】
制御部１７は、携帯電話機１の全体を制御しており、表示部１１及び通信部１５に対して制御を行う。
モーションセンサ１８は、加速度センサ、ジャイロセンサ、地磁気センサ等のいずれか又はこれらを組み合わせて構成される。モーションセンサ１８は、携帯電話機１の位置や、方向、動き等の変位を検出して、制御部１７に送信する。
【００２７】
操作部１９は、複数の態様による操作を検出することができる。例えば、操作部１９は、タッチパネル１０上に表示される仮想的なキー（ソフトウェアキー）でもよく、筺体２に別途配置され、文字、数字、記号等が割り当てられている物理的なキーであってもよい。例えば、操作部１９がタッチパネル１０上に表示される仮想的なキーである場合に、操作部１９は、接触操作や摺動操作といった複数の態様による操作を検出することができる。
【００２８】
第１実施形態に係る携帯電話機１は、表示部１１に表示されている文字を利用してアプリケーションを起動させる機能を有している。以下、当該機能を実行させるための構成について説明する。
【００２９】
図３は、第１実施形態に係る表示部１１に表示される画面遷移例を示す図である。
図３の画面Ｄ１において、制御部１７は、電子メールアプリケーションにより受信メールを表示部１１に表示させている。すなわち、制御部１７は、電子メールアプリケーションにより複数の文字を表示させている。
なお、本明細書において文字とは、平仮名文字、片仮名文字、漢字だけでなく、数字、英字、記号も含む。また、文字とは、一の文字だけでなく、文字列も含む。また、数字とは、数字だけでなく、電話発信に用いる文字（Ｐ（ポーズ）、‐（ハイフン）、＊（アステリスク）、＃（シャープ）等）も含む。また、数字とは、一の数字だけでなく、数字列も含む。
【００３０】
画面Ｄ１において、すなわち、表示部１１に文字が表示された状態において、制御部１７は、画面Ｄ１に表示されている文字のうち「防水ケータイ」に対する接触（長押下）が検出部１２により検出されたこと（画面Ｄ２）に応じて、入力文字「防水ケータイ」が選択される。表示部１１において選択された文字は、反転表示される（画面Ｄ３）。
【００３１】
また、制御部１７は、入力文字「防水ケータイ」が選択されたことに応じて、入力される文字及び数字を編集するアプリケーションＡを起動する処理を行う。
【００３２】
画面Ｄ３において、制御部１７は、携帯電話機１の本体を、表示部１１を正面から見た場合における左方向に向かって振る操作（第１の操作）がモーションセンサ１８により検出されると、記憶部１６に記憶されている複数のアプリケーション（複数の機能）のうちメモ帳アプリケーション（第１の機能）に対応するメモ帳アプリケーションの画面（第１の画像）を表示させる（画面Ｄ４及びＤ５）。
【００３３】
より詳細には、制御部１７は、携帯電話機１の本体を左方向に向かって振る操作がモーションセンサ１８により検出されると、電子メールアプリケーションの画面からメモ帳アプリケーションの起動に対応するメモ帳アプリケーションの初期画面に切り替わり（画面Ｄ４）、メモ帳アプリケーションの初期画面を表示部１１に表示させる（画面Ｄ５）。
【００３４】
画面Ｄ５において、制御部１７は、画面Ｄ３において入力文字「防水ケータイ」が選択されている状態を継続し、かつ、選択されている入力文字「防水ケータイ」のみを表示部１１に表示させる。また、画面Ｄ５において、制御部１７は、入力文字「防水ケータイ」が選択されている状態が継続している場合に、メモ帳アプリケーションを起動させず、メモ帳アプリケーションの初期画面のみを表示部１１に表示させてもよく、また、メモ帳アプリケーションを起動させて、メモ帳アプリケーションの初期画面を表示部１１に表示させてもよい。
【００３５】
続いて、画面Ｄ５において、制御部１７は、再度左方向に向かって振る操作がモーションセンサ１８により検出されると、メモ帳アプリケーションの初期画面に代えて複数のアプリケーションのうち、メモ帳アプリケーションとは異なるブラウザアプリケーションに対応するブラウザアプリケーションの初期画面（第２の画像）を表示させる（画面Ｄ６）。
【００３６】
より詳細には、制御部１７は、再度左方向に向かって振る操作がモーションセンサ１８により検出されると、メモ帳アプリケーションの初期画面からブラウザアプリケーションの起動に対応するブラウザアプリケーションの初期画面に切り替わり、ブラウザアプリケーションの初期画面を表示部１１に表示させる（画面Ｄ６）。
【００３７】
画面Ｄ６において、制御部１７は、画面Ｄ３において入力文字「防水ケータイ」が選択されている状態を継続し、かつ、選択されている入力文字「防水ケータイ」のみを表示部１１に表示させる。また、画面Ｄ６において、制御部１７は、入力文字「防水ケータイ」が選択されている状態が継続している場合に、ブラウザアプリケーションを起動させず、ブラウザアプリケーションの初期画面のみを表示部１１に表示させてもよく、ブラウザアプリケーションを起動させて、ブラウザアプリケーションの初期画面を表示部１１に表示させてもよい。
【００３８】
続いて、画面Ｄ６において、制御部１７は、ユーザの指による入力文字「防水ケータイ」に対する接触の解除が検出部１２により検出されたこと、すなわち、検出部１２によりユーザの指を表示部１１の表面から離す操作（第２の操作）が検出された場合に、表示部１１に表示されている入力文字「防水ケータイ」を、ブラウザアプリケーションの初期画面内の検索窓に入力させて、ブラウザアプリケーションを起動させる（画面Ｄ７）。
【００３９】
また、画面Ｄ６において、制御部１７は、検出部１２によりユーザの指を表示部１１の表面から離す操作（第２の操作）が検出されたことに代えて、操作が検出されない状態が所定時間以上継続した場合に、表示部１１に表示されている入力文字「防水ケータイ」を、ブラウザアプリケーションの初期画面内の検索窓に入力させて、ブラウザアプリケーションを起動させてもよい（画面Ｄ７）。
【００４０】
このように、第１実施形態によれば、携帯電話機１は、電子メールアプリケーションからメモ帳アプリケーション又はブラウザアプリケーションの初期画面に切り替えて、表示部１１に入力された文字をメモ帳アプリケーション又はブラウザアプリケーションに入力させた状態で起動させることができる。したがって、携帯電話機１は、表示部１１に入力された文字を所望の機能を実行するアプリケーションにおいて容易に利用することができる。
【００４１】
また、携帯電話機１において、入力文字は、表示部１１に表示されている文字のうち、操作部１９による操作に応じて、選択された文字であってもよい。これにより、携帯電話機１は、入力文字が操作部１９による操作に応じて選択された文字であるため、選択された入力文字を所望のアプリケーションにおいて容易に利用することができ、携帯電話機１の操作性を向上させることができる。
【００４２】
また、制御部１７は、メモ帳アプリケーション又はブラウザアプリケーションの初期画面が表示された状態において、検出部１２によりユーザの指を表示部１１の表面から離す操作が検出される、又は操作が検出されない状態が所定時間以上継続した場合に、入力文字を入力させた状態で、表示部１１に表示されているメモ帳アプリケーション又はブラウザアプリケーションの初期画面に対応するメモ帳アプリケーション又はブラウザアプリケーションを起動させる。
【００４３】
すなわち、携帯電話機１は、携帯電話機１の本体を左方向に向かって振る操作が検出されると、電子メールアプリケーションの画面からメモ帳アプリケーションの初期画面に切り替わり、ユーザの指を表示部１１の表面から離す操作が検出される、又は操作が検出されない状態が所定時間以上継続すると、メモ帳アプリケーション又はブラウザアプリケーションの初期画面に対応するメモ帳アプリケーション又はブラウザアプリケーションを起動させる。これにより、携帯電話機１は、直感的な操作によって所望のアプリケーションに文字を入力させた状態で起動させることができる。
【００４４】
また、制御部１７は、メモ帳アプリケーション又はブラウザアプリケーションの初期画面が表示された状態において、ユーザの指を表示部１１の表面から離す操作が検出される、又は操作が検出されない状態が所定時間以上継続した場合にのみ、表示部１１に表示されている文字を入力文字として入力させて、メモ帳アプリケーション又はブラウザアプリケーションを起動させてもよい。これにより、携帯電話機１は、ユーザの指を表示部１１の表面から離す操作が検出される、又は操作が検出されない状態が所定時間以上継続した場合以外には、メモ帳アプリケーション又はブラウザアプリケーションを起動させないため、ユーザが意図しないアプリケーションを起動させてしまうことを防止することができる。
【００４５】
また、制御部１７は、携帯電話機１本体が振られた方向に応じて、電子メールアプリケーション、メモ帳アプリケーション又はブラウザアプリケーションの初期画面を表示部１１に表示させる順序を変更させてもよい。
【００４６】
具体的には、制御部１７は、携帯電話機１の本体が左方向に向かって振られることがモーションセンサ１８により検出されるごとに、初期画面（待ち受け画面）→メモ帳アプリケーション→ブラウザアプリケーション→スケジュールアプリケーション→電子メールアプリケーション→初期画面（待ち受け画面）・・・の順序で表示部１１に表示させるアプリケーションの初期画面を切り替える。
【００４７】
一方、制御部１７は、携帯電話機１の本体が右方向に向かって振られることがモーションセンサ１８により検出されるごとに、初期画面（待ち受け画面）→電子メールアプリケーション→スケジュールアプリケーション→ブラウザアプリケーション→メモ帳アプリケーション→初期画面（待ち受け画面）・・・の順序、つまり、左方向に向かって振られた場合とは反対の順序で表示部１１に表示させるアプリケーションの初期画面を切り替える。
【００４８】
このように携帯電話機１は、携帯電話機１本体が振られた方向に応じて、電子メールアプリケーション、メモ帳アプリケーション又はブラウザアプリケーションの画面を表示部１１に表示させる順序を変更させるため、直感的な操作によって電子メールアプリケーション、メモ帳アプリケーション又はブラウザアプリケーションの画面の表示を切り替えることができる。
【００４９】
また、制御部１７は、表示部１１が摺動された方向に応じて、電子メールアプリケーション、メモ帳アプリケーション又はブラウザアプリケーションの画面を表示部１１に表示させる順序を変更させてもよい。
【００５０】
具体的には、制御部１７は、タッチパネル１０の表面が左方向に向かって摺動されたことが検出部１２により検出されるごとに、初期画面（待ち受け画面）→メモ帳アプリケーション→ブラウザアプリケーション→スケジュールアプリケーション→電子メールアプリケーション→初期画面（待ち受け画面）・・・の順序で表示部１１に表示させるアプリケーションの初期画面を切り替える。
【００５１】
一方、制御部１７は、タッチパネル１０の表面が右方向に向かって摺動されたことが検出部１２により検出されるごとに、初期画面（待ち受け画面）→電子メールアプリケーション→スケジュールアプリケーション→ブラウザアプリケーション→メモ帳アプリケーション→初期画面（待ち受け画面）・・・の順序、つまり、左方向に向かって摺動された場合とは反対の順序で表示部１１に表示させるアプリケーションの初期画面を切り替える。
また、検出部１２により検出される摺動は、ごく短い期間の摺動（いわゆるフリック）でもよく、一定時間以上継続する摺動（いわゆるスワイプ）でもよい。又は、摺動操作ではなく、単にタッチパネル１０の表面に接触する操作、すなわち、タッチ操作でもよい。
【００５２】
このように携帯電話機１は、表示部１１が摺動された方向に応じて、第１の画像及び第２の画像を前記表示部に表示させる順序を変更させるため、直感的な操作によって電子メールアプリケーション、メモ帳アプリケーション又はブラウザアプリケーションの初期画面を切り替えることができる。
【００５３】
図４及び図５は、図３に示す例の内部処理について示すフローチャートである。なお、文字入力が可能なアプリケーションにより文字が表示部１１に表示されていることを前提とする。
ステップＳ１において、制御部１７は、検出部１２により表示部１１に対するユーザの指による接触が検出されたか否かを判定する。接触が検出された場合（ＹＥＳ）には、ステップＳ２へ進む。接触が検出されない場合（ＮＯ）には、再度ステップＳ１の処理を繰り返す。
【００５４】
ステップＳ２において、制御部１７は、検出部１２により接触が検出された箇所にアイコンが表示されているか否かを判定する。接触が検出された箇所にアイコンが表示されている場合（ＹＥＳ）には、ステップＳ３へ進む。接触が検出された箇所にアイコンが表示されていない場合（ＮＯ）には、ステップＳ４へ進む。
【００５５】
ステップＳ３において、制御部１７は、ステップＳ２において接触が検出された箇所に表示されているアイコンに対応付けられている機能を実行し、処理を終了する。
ステップＳ４において、制御部１７は、長押しタイマーを起動して、時間の計測を開始する。
【００５６】
ステップＳ５において、制御部１７は、検出部１２により検出される表示部１１に対する接触が一定時間継続したか否か、すなわち、長押しタイマーが満了したか否かを判定する。長押しタイマーが満了した場合（ＹＥＳ）には、ステップＳ６へ進む。長押しタイマーが満了しない場合（ＮＯ）には、再度ステップＳ５の処理を繰り返す。
【００５７】
ステップＳ６において、制御部１７は、長押し検出フラグを「ＴＲＵＥ」に設定する。
ステップＳ７において、制御部１７は、長押しタイマーを停止する。
ステップＳ８において、制御部１７は、表示部１１において長押しが検出された箇所に文字が表示されているか否かを判定する。文字が表示されている場合（ＹＥＳ）には、ステップＳ９へ進む。文字が表示されていない場合（ＮＯ）には、処理を終了する。
【００５８】
ステップＳ９において、制御部１７は、文章単位（又は単語単位、文字単位）で選択される文字を決定し、選択される文字を反転表示させる。
【００５９】
ステップＳ１０において、制御部１７は、モーションセンサ１８により携帯電話機１の本体を振る操作が検出されたか否かを判定する。携帯電話機１の本体を振る操作が検出された場合（ＹＥＳ）には、ステップＳ１１へ進む。携帯電話機１の本体を振る操作が検出されない場合（ＮＯ）には、再度ステップＳ１０の処理を繰り返す。なお、ステップＳ１０において、制御部１７は、携帯電話機１の本体を振る操作に代えて、モーションセンサ１８及び操作部１９により操作が検出されない状態が所定期間以上継続した場合を条件としてもよい。
【００６０】
ステップＳ１１において、制御部１７は、文字及び数字を編集するアプリケーションＡが起動中であるか否かを判定する。アプリケーションＡが起動中である場合（ＹＥＳ）には、ステップＳ１３へ進む。アプリケーションＡが起動中でない場合（ＮＯ）には、ステップＳ１２へ進む。
【００６１】
ステップＳ１２において、制御部１７は、記憶部１６に記憶されているアプリケーションＡを起動させる。
ステップＳ１３において、制御部１７は、携帯電話機１の本体が振られた方向がいずれの方向に向かって振られたか判定する。左方向に向かって振られた場合には、ステップＳ１４へ進む。右方向に向かって振られた場合には、ステップＳ１５へ進む。左又は右方向以外の方向に向かって振られた場合には、処理を終了する。
【００６２】
ステップＳ１４において、制御部１７は、表示部１１に表示させるアプリケーションの初期画面を選択する。ここで、制御部１７は、携帯電話機１の本体が左方向に向かって振られることがモーションセンサ１８により検出されるごとに、初期画面（待ち受け画面）→メモ帳アプリケーション→ブラウザアプリケーション→スケジュールアプリケーション→電子メールアプリケーション→初期画面（待ち受け画面）・・・の順序で表示部１１に表示させるアプリケーションの初期画面を切り替える。
【００６３】
ステップＳ１５において、制御部１７は、表示部１１に表示させるアプリケーションの初期画面を選択する。ここで、制御部１７は、携帯電話機１の本体が右方向に向かって振られることがモーションセンサ１８により検出されるごとに、初期画面（待ち受け画面）→電子メールアプリケーション→スケジュールアプリケーション→ブラウザアプリケーション→メモ帳アプリケーション→初期画面（待ち受け画面）・・・の順序、つまり、ステップＳ１４とは反対の順序で表示部１１に表示させるアプリケーションの初期画面を切り替える。
【００６４】
ステップＳ１６において、制御部１７は、ステップＳ１４又はステップＳ１５において選択されたアプリケーションの初期画面を表示部１１に表示させる（図３の画面Ｄ５又はＤ６）。
ステップＳ１７において、制御部１７は、検出部１２によりユーザの指を表示部１１の表面から離す操作（接触を解除する操作）が検出されたか否かを判定する。接触を解除する操作が検出された場合（ＹＥＳ）には、ステップＳ１８へ進む。接触を解除する操作が検出されない場合（ＮＯ）には、再度ステップＳ１７の処理を繰り返す。
【００６５】
ステップＳ１８において、制御部１７は、長押し検出フラグを「ＦＡＬＳＥ」に設定する。
ステップＳ１９において、制御部１７は、表示部１１に表示されている入力文字を、選択されたアプリケーションの初期画面内に入力させて、選択されたアプリケーションを起動させる（図３の画面Ｄ７）。
【００６６】
このように携帯電話機１は、選択されたアプリケーションの初期画面を切り替え、表示部１１に入力された文字を選択されたアプリケーションの初期画面に入力させた状態で起動させることができる。したがって、携帯電話機１は、表示部１１に入力された文字を所望の機能を実行するアプリケーションにおいて容易に利用することができる。
【００６７】
次に、本発明の電子機器に係る他の実施形態について説明する。他の実施形態については、主として、第１実施形態とは異なる点を説明し、第１実施形態と同様の構成について同一符号を付し、説明を省略する。他の実施形態について特に説明しない点については、第１実施形態についての説明が適宜適用される。
【００６８】
＜第２実施形態＞
第２実施形態に係る携帯電話機１は、電子メールアプリケーション、メモ帳アプリケーション又はブラウザアプリケーションの初期画面に代えて、電子メールアプリケーション、メモ帳アプリケーション又はブラウザアプリケーションを起動させるためのアイコンを表示部１１に表示させる点が第１実施形態とは異なる。
【００６９】
図６は、第２実施形態に係る表示部１１に表示される画面遷移例を示す図である。
図６の画面Ｄ１１において、制御部１７は、電子メールアプリケーションにより受信メールを表示部１１に表示させている。すなわち、制御部１７は、電子メールアプリケーションにより複数の文字を表示させている。
【００７０】
画面Ｄ１１において、すなわち、表示部１１に文字が表示された状態において、制御部１７は、画面Ｄ１１に表示されている文字のうち「防水ケータイ」に対する接触（長押下）が検出部１２により検出されたこと（画面Ｄ１２）に応じて、入力文字「防水ケータイ」が選択される。表示部１１において選択された文字は、反転表示される（画面Ｄ１３）。
【００７１】
また、制御部１７は、入力文字「防水ケータイ」が選択されたことに応じて、入力される文字及び数字を編集するアプリケーションＡを起動する処理を行う。
【００７２】
画面Ｄ１３において、制御部１７は、携帯電話機１の本体を、表示部１１を正面から見た場合における左方向に向かって振る操作（第１の操作）がモーションセンサ１８により検出されると、記憶部１６に記憶されている複数のアプリケーション（複数の機能）それぞれに対応するアイコンのうちメモ帳アプリケーション（第１の機能）に対応するメモ帳アプリケーションのアイコンＡ１（第１の画像）を選択させる（画面Ｄ１４）。
【００７３】
より詳細には、制御部１７は、携帯電話機１の本体を左方向に向かって振る操作がモーションセンサ１８により検出されると、電子メールアプリケーションの画面の表示を維持した状態でメモ帳アプリケーションを起動させるためのアイコンＡ１をカーソル等により選択させる（画面Ｄ１４）。
【００７４】
画面Ｄ１４において、制御部１７は、画面Ｄ１３において入力文字「防水ケータイ」が選択されている状態を継続し、かつ、選択されている入力文字「防水ケータイ」のみを表示部１１に表示させる。また、画面Ｄ１４において、制御部１７は、入力文字「防水ケータイ」が選択されている状態が継続している場合に、メモ帳アプリケーションを起動させず、メモ帳アプリケーションのアイコンＡ１を選択させた状態を継続する。
【００７５】
続いて、画面Ｄ１４において、制御部１７は、再度左方向に向かって振る操作がモーションセンサ１８により検出されると、アイコンＡ１に代えて複数のアプリケーションそれぞれに対応するアイコンのうち、メモ帳アプリケーションとは異なるブラウザアプリケーションに対応するブラウザアプリケーションのアイコンＡ２（第２の画像）を選択させる（画面Ｄ１５）。
【００７６】
より詳細には、制御部１７は、再度左方向に向かって振る操作がモーションセンサ１８により検出されると、アイコンＡ１からブラウザアプリケーションの起動に対応するブラウザアプリケーションのアイコンＡ２に切り替わり、アイコンＡ２を選択させた状態を継続する（画面Ｄ１５）。
【００７７】
画面Ｄ１５において、制御部１７は、画面Ｄ１３において入力文字「防水ケータイ」が選択されている状態を継続し、かつ、選択されている入力文字「防水ケータイ」のみを表示部１１に表示させる。また、画面Ｄ１５において、制御部１７は、入力文字「防水ケータイ」が選択されている状態が継続している場合に、ブラウザアプリケーションを起動させず、ブラウザアプリケーションのアイコンＡ２を選択させた状態を継続させてもよく、ブラウザアプリケーションを起動させて、ブラウザアプリケーションのアイコンＡ２を選択させた状態を継続させてもよい。
【００７８】
続いて、画面Ｄ１５において、制御部１７は、ユーザの指による入力文字「防水ケータイ」に対する接触の解除が検出部１２により検出されたこと、すなわち、検出部１２によりユーザの指を表示部１１の表面から離す操作（第２の操作）が検出された場合に、表示部１１に表示されている入力文字「防水ケータイ」を、ブラウザアプリケーションの初期画面内の検索窓に入力させて、ブラウザアプリケーションを起動させる（画面Ｄ１６）。
【００７９】
また、画面Ｄ１５において、制御部１７は、検出部１２によりユーザの指を表示部１１の表面から離す操作（第２の操作）が検出されたことに代えて、操作が検出されない状態が所定時間以上継続した場合に、表示部１１に表示されている入力文字「防水ケータイ」を、ブラウザアプリケーションの初期画面内の検索窓に入力させて、ブラウザアプリケーションを起動させてもよい（画面Ｄ１６）。
【００８０】
図７及び８は、図６に示す例の内部処理について示すフローチャートである。なお、文字入力が可能なアプリケーションにより文字が表示部１１に表示されていることを前提とする。
ステップＳ２１において、制御部１７は、検出部１２により表示部１１に対するユーザの指による接触が検出されたか否かを判定する。接触が検出された場合（ＹＥＳ）には、ステップＳ２２へ進む。接触が検出されない場合（ＮＯ）には、再度ステップＳ２１の処理を繰り返す。
【００８１】
ステップＳ２２において、制御部１７は、検出部１２により接触が検出された箇所にアイコンが表示されているか否かを判定する。接触が検出された箇所にアイコンが表示されている場合（ＹＥＳ）には、ステップＳ２３へ進む。接触が検出された箇所にアイコンが表示されていない場合（ＮＯ）には、ステップＳ２４へ進む。
【００８２】
ステップＳ２３において、制御部１７は、ステップＳ２２において接触が検出された箇所に表示されているアイコンに対応付けられている機能を実行し、処理を終了する。
ステップＳ２４において、制御部１７は、長押しタイマーを起動して、時間の計測を開始する。
【００８３】
ステップＳ２５において、制御部１７は、検出部１２により検出される表示部１１に対する接触が一定時間継続したか否か、すなわち、長押しタイマーが満了したか否かを判定する。長押しタイマーが満了した場合（ＹＥＳ）には、ステップＳ２６へ進む。長押しタイマーが満了しない場合（ＮＯ）には、再度ステップＳ２５の処理を繰り返す。
【００８４】
ステップＳ２６において、制御部１７は、長押し検出フラグを「ＴＲＵＥ」に設定する。
ステップＳ２７において、制御部１７は、長押しタイマーを停止する。
ステップＳ２８において、制御部１７は、表示部１１において長押しが検出された箇所に文字が表示されているか否かを判定する。文字が表示されている場合（ＹＥＳ）には、ステップＳ２９へ進む。文字が表示されていない場合（ＮＯ）には、処理を終了する。
【００８５】
ステップＳ２９において、制御部１７は、文章単位（又は単語単位、文字単位）で選択される文字を決定し、選択される文字を反転表示させる。
【００８６】
ステップＳ３０において、制御部１７は、モーションセンサ１８により携帯電話機１の本体を振る操作が検出されたか否かを判定する。携帯電話機１の本体を振る操作が検出された場合（ＹＥＳ）には、ステップＳ３１へ進む。携帯電話機１の本体を振る操作が検出されない場合（ＮＯ）には、再度ステップＳ３０の処理を繰り返す。なお、ステップＳ３０において、制御部１７は、携帯電話機１の本体を振る操作に代えて、モーションセンサ１８及び操作部１９により操作が検出されない状態が所定期間以上継続した場合を条件としてもよい。
【００８７】
ステップＳ３１において、制御部１７は、文字及び数字を編集するアプリケーションＡが起動中であるか否かを判定する。アプリケーションＡが起動中である場合（ＹＥＳ）には、ステップＳ３３へ進む。アプリケーションＡが起動中でない場合（ＮＯ）には、ステップＳ３２へ進む。
【００８８】
ステップＳ３２において、制御部１７は、記憶部１６に記憶されているアプリケーションＡを起動させる。
ステップＳ３３において、制御部１７は、携帯電話機１の本体が振られた方向がいずれの方向に向かって振られたか判定する。左方向に向かって振られた場合には、ステップＳ３４へ進む。右方向に向かって振られた場合には、ステップＳ３５へ進む。左又は右方向以外の方向に向かって振られた場合には、処理を終了する。
【００８９】
ステップＳ３４において、制御部１７は、表示部１１に表示させるアプリケーションのアイコンを選択する。ここで、制御部１７は、携帯電話機１の本体が左方向に向かって振られることがモーションセンサ１８により検出されるごとに、初期画面（待ち受け画面）→メモ帳アプリケーションのアイコンＡ１→ブラウザアプリケーションのアイコンＡ２→スケジュールアプリケーションのアイコンＡ３→電子メールアプリケーションのアイコンＡ４→初期画面（待ち受け画面）・・・の順序で選択させるアプリケーションのアイコンを切り替える。
【００９０】
ステップＳ３５において、制御部１７は、表示部１１に表示させるアプリケーションのアイコンを選択する。ここで、制御部１７は、携帯電話機１の本体が右方向に向かって振られることがモーションセンサ１８により検出されるごとに、初期画面（待ち受け画面）→電子メールアプリケーションのアイコンＡ４→スケジュールアプリケーションのアイコンＡ３→ブラウザアプリケーションのアイコンＡ２→メモ帳アプリケーションのアイコンＡ１→初期画面（待ち受け画面）・・・の順序、つまり、ステップＳ３４とは反対の順序で選択させるアプリケーションのアイコンを切り替える。
【００９１】
ステップＳ３６において、制御部１７は、ステップＳ３４又はステップＳ３５において選択されたアプリケーションのアイコンをカーソル等により選択させる（図６の画面Ｄ１５）。
ステップＳ３７において、制御部１７は、検出部１２によりユーザの指を表示部１１の表面から離す操作（接触を解除する操作）が検出されたか否かを判定する。接触を解除する操作が検出された場合（ＹＥＳ）には、ステップＳ３８へ進む。接触を解除する操作が検出されない場合（ＮＯ）には、再度ステップＳ３７の処理を繰り返す。
【００９２】
ステップＳ３８において、制御部１７は、長押し検出フラグを「ＦＡＬＳＥ」に設定する。
ステップＳ３９において、制御部１７は、表示部１１に表示されている入力文字を、選択されたアイコンに対応付けられているアプリケーションの初期画面内に入力させて、アプリケーションを起動させる（図６の画面Ｄ１６）。
【００９３】
＜第３実施形態＞
第３実施形態に係る携帯電話機１は、表示部１１に待ち受け画面が表示された状態において、操作部１９が操作されると、当該操作部１９に割り当てられる文字及び数字をそれぞれ入力して表示部１１に表示させる点が第１実施形態とは異なる。
【００９４】
図９は、第３実施形態に係る表示部１１に表示される画面遷移例を示す図である。
制御部１７は、表示部１１に待ち受け画面（画面Ｄ２１）が表示されている状態において、操作部１９を構成する操作キーのうちいずれかの操作キーが操作された場合に、当該操作キーに割り当てられている数字及び文字を共に入力させて、表示部１１に表示させる。
【００９５】
制御部１７は、初期画面としての待ち受け画面Ｄ２１が表示されている状態において、操作部１９を構成する操作キーのうちいずれかの操作キーが操作された場合に、入力される文字及び数字を編集するアプリケーションＡを起動する処理を行い、アプリケーションＡによって操作キーに割り当てられている数字「６６６６６＊１１１３３３１１」を領域Ｒ３に表示（入力）させ、当該操作キーに割り当てられている文字「ぼうすい」を領域Ｒ１に表示（入力）させる。また、制御部１７は、入力文字「ぼうすい」の変換候補「防水」及び「ぼうすい」を領域Ｒ２に表示させる（画面Ｄ２２）。
【００９６】
なお、制御部１７は、初期画面として待ち受け画面Ｄ２１が表示された状態において、操作キーの操作により入力文字「ぼうすい」が入力されると、操作キーに割り当てられる文字「ぼうすい」のみを入力させて表示部１１の領域Ｒ１に表示させてもよい。また、表示部１１の上段に表示される領域Ｒ１は、主に文字を表示させる領域であり、表示部１１の中断に表示される領域Ｒ２は、主に変換候補を表示させる領域であり、表示部１１の下段に表示される領域Ｒ３は、主に数字を表示させる領域である。
【００９７】
画面Ｄ２２において、表示されている文字及び数字のうち「ぼうすい」が選択されたことに応じて、入力文字「ぼうすい」が選択される。表示部１１において選択された文字は、反転表示される（画面Ｄ２２）。
【００９８】
また、制御部１７は、入力文字「ぼうすい」が選択されたことに応じて、入力された文字を編集するアプリケーションＡを起動する処理を行う。
【００９９】
画面Ｄ２２において、制御部１７は、携帯電話機１の本体を、表示部１１を正面から見た場合における左方向に向かって振る操作（第１の操作）がモーションセンサ１８により検出されると、記憶部１６に記憶されている複数のアプリケーション（複数の機能）のうちメモ帳アプリケーション（第１の機能）に対応するメモ帳アプリケーションの画面（第１の画像）を表示させる（画面Ｄ２３及びＤ２４）。
【０１００】
より詳細には、制御部１７は、携帯電話機１の本体を左方向に向かって振る操作がモーションセンサ１８により検出されると、文字、数字及び変換候補が表示される画面からメモ帳アプリケーションの起動に対応するメモ帳アプリケーションの初期画面に切り替わり（画面Ｄ２３）、メモ帳アプリケーションの初期画面を表示部１１に表示させる（画面Ｄ２４）。
【０１０１】
画面Ｄ２４において、制御部１７は、画面Ｄ２２において入力文字「ぼうすい」が選択されている状態を継続し、かつ、選択されている入力文字「ぼうすい」のみを表示部１１に表示させる。また、画面２４において、制御部１７は、入力文字「ぼうすい」が選択されている状態が継続している場合に、メモ帳アプリケーションを起動させず、メモ帳アプリケーションの初期画面のみを表示部１１に表示させる。
【０１０２】
続いて、画面Ｄ２４において、制御部１７は、再度左方向に向かって振る操作がモーションセンサ１８により検出されると、メモ帳アプリケーションの初期画面に代えて複数のアプリケーションのうち、メモ帳アプリケーションとは異なるブラウザアプリケーションに対応するブラウザアプリケーションの初期画面（第２の画像）を表示させる（画面Ｄ２５）。
【０１０３】
より詳細には、制御部１７は、再度左方向に向かって振る操作がモーションセンサ１８により検出されると、メモ帳アプリケーションの初期画面からブラウザアプリケーションの起動に対応するブラウザアプリケーションの初期画面に切り替わり、ブラウザアプリケーションの初期画面を表示部１１に表示させる（画面Ｄ２５）。
【０１０４】
画面Ｄ２５において、制御部１７は、画面Ｄ２２において入力文字「ぼうすい」が選択されている状態を継続し、かつ、選択されている入力文字「ぼうすい」のみを表示部１１に表示させる。また、画面Ｄ２５において、制御部１７は、入力文字「ぼうすい」が選択されている状態が継続している場合に、ブラウザアプリケーションを起動させず、ブラウザアプリケーションの初期画面のみを表示部１１に表示させてもよく、ブラウザアプリケーションを起動させて、ブラウザアプリケーションの初期画面を表示部１１に表示させてもよい。
【０１０５】
続いて、画面Ｄ２５において、制御部１７は、操作部１９を構成する決定キーが操作された場合に、表示部１１に表示されている入力文字「ぼうすい」を、ブラウザアプリケーションの初期画面内の検索窓に入力させて、ブラウザアプリケーションを起動させる（画面Ｄ２６）。
【０１０６】
このように、第３実施形態によれば、携帯電話機１は、待ち受け画面からメモ帳アプリケーション又はブラウザアプリケーションの初期画面に切り替えて、表示部１１に入力された文字をメモ帳アプリケーション又はブラウザアプリケーションに入力させた状態で起動させることができる。したがって、携帯電話機１は、表示部１１に入力された文字を所望の機能を実行するアプリケーションにおいて容易に利用することができる。
【０１０７】
また、図９の例では、制御部１７は、領域Ｒ１に入力された文字を所望の機能を実行するアプリケーションに利用したが、領域Ｒ１に入力される文字及び領域Ｒ３に入力される数字に基づいて、ユーザが文字又は数字を入力しているのか判定し、判定結果に応じてアプリケーションの初期画面を切り替える順序を変更してもよい。
【０１０８】
例えば、制御部１７は、領域Ｒ１に入力された文字が記憶部１６の辞書データベースに記憶されている文字と一致する場合には、ユーザが文字を入力していると判定し、携帯電話機１の本体を左方向に向かって振る操作がモーションセンサ１８により検出されると、主に文字を用いるアプリケーション（例えば、メモ帳アプリケーション）の初期画面に切り替える。
【０１０９】
一方、制御部１７は、領域Ｒ１に入力された文字が記憶部１６の辞書データベースに記憶されている文字と一致しない場合には、ユーザが数字を入力していると判定し、携帯電話機１の本体を左方向に向かって振る操作がモーションセンサ１８により検出されると、主に数字を用いるアプリケーション（例えば、電卓アプリケーション）の初期画面に切り替える。これにより、携帯電話機１は、ユーザが文字を入力しているか数字を入力しているかを判定して、その判定結果に応じてアプリケーションの初期画面を切り替える順序を変更するため、操作性をさらに向上させることができる。また、入力された文字又は数字のいずれかを用いるかユーザがカーソル等により選択してもよい。
【０１１０】
図１０は、図９に示す例の内部処理について示すフローチャートである。なお、待ち受け画面が表示部１１に表示されていることを前提とする。
ステップＳ４０において、制御部１７は、モーションセンサ１８により携帯電話機１の本体を振る操作が検出されたか否かを判定する。携帯電話機１の本体を振る操作が検出された場合（ＹＥＳ）には、ステップＳ４１へ進む。携帯電話機１の本体を振る操作が検出されない場合（ＮＯ）には、再度ステップＳ４０の処理を繰り返す。なお、ステップＳ４０において、制御部１７は、携帯電話機１の本体を振る操作に代えて、モーションセンサ１８及び操作部１９により操作が検出されない状態が所定期間以上継続した場合を条件としてもよい。
【０１１１】
ステップＳ４１において、制御部１７は、文字及び数字を編集するアプリケーションＡが起動中であるか否かを判定する。アプリケーションＡが起動中である場合（ＹＥＳ）には、ステップＳ４３へ進む。アプリケーションＡが起動中でない場合（ＮＯ）には、ステップＳ４２へ進む。
【０１１２】
ステップＳ４２において、制御部１７は、記憶部１６に記憶されているアプリケーションＡを起動させる。
ステップＳ４３において、制御部１７は、携帯電話機１の本体が振られた方向がいずれの方向に向かって振られたか判定する。左方向に向かって振られた場合には、ステップＳ４４へ進む。右方向に向かって振られた場合には、ステップＳ４５へ進む。左又は右方向以外の方向に向かって振られた場合には、処理を終了する。
【０１１３】
ステップＳ４４において、制御部１７は、表示部１１に表示させるアプリケーションの初期画面を選択する。ここで、制御部１７は、携帯電話機１の本体が左方向に向かって振られることがモーションセンサ１８により検出されるごとに、初期画面（待ち受け画面）→メモ帳アプリケーション→ブラウザアプリケーション→スケジュールアプリケーション→電子メールアプリケーション→初期画面（待ち受け画面）・・・の順序で表示部１１に表示させるアプリケーションの初期画面を切り替える。
【０１１４】
ステップＳ４５において、制御部１７は、表示部１１に表示させるアプリケーションの初期画面を選択する。ここで、制御部１７は、携帯電話機１の本体が右方向に向かって振られることがモーションセンサ１８により検出されるごとに、初期画面（待ち受け画面）→電子メールアプリケーション→スケジュールアプリケーション→ブラウザアプリケーション→メモ帳アプリケーション→初期画面（待ち受け画面）・・・の順序、つまり、ステップＳ４４とは反対の順序で表示部１１に表示させるアプリケーションの初期画面を切り替える。
【０１１５】
ステップＳ４６において、制御部１７は、ステップＳ４４又はステップＳ４５において選択されたアプリケーションの初期画面を表示部１１に表示させる（図９の画面Ｄ２４又はＤ２５）。
ステップＳ４７において、制御部１７は、操作部１９を構成する決定キーが操作されたか否かを判定する。決定キーが操作された場合（ＹＥＳ）には、ステップＳ４８へ進む。決定キーが操作されない場合（ＮＯ）には、再度ステップＳ４７の処理を繰り返す。
【０１１６】
ステップＳ４８において、制御部１７は、表示部１１に表示されている入力文字を、選択されたアプリケーションの初期画面内に入力させて、選択されたアプリケーションを起動させる（図９の画面Ｄ２６）。
【０１１７】
以上、本発明の実施形態について説明したが、本発明は上述した実施形態に制限されるものではなく、適宜変更が可能である。
また、上述した実施形態において、電子機器としての携帯電話機１について説明したが、他の電子機器にも適用可能である。例えば、本発明の電子機器は、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【０１１８】
１  携帯電話機（電子機器）
１０  タッチパネル（操作部）
１１  表示部
１２  検出部
１７  制御部
【図１】
2012038271.tif 000003
【図２】
2012038271.tif 000004
【図３】
2012038271.tif 000005
【図４】
2012038271.tif 000006
【図５】
2012038271.tif 000007
【図６】
2012038271.tif 000008
【図７】
2012038271.tif 000009
【図８】
2012038271.tif 000010
【図９】
2012038271.tif 000011
【図１０】
2012038271.tif 000012